(57)【要約】【課題】本考案は、外耳道が塞がれた圧迫観・閉塞感が少なく、装着が目立たずに他人の眼が気にならない、使用感の優れたシステム補聴器を提供することである。【解決手段】本考案の態様によれば、集音部、増幅部、および電源とを備えた集音増幅処理部と、外耳道内に配置され小径で外耳道を完全に閉塞しない小型スピーカーと、集音増幅処理部と小型スピーカーとを接続する信号線と、信号線の一部に設けられて外耳基部にそって変形し信号線を自在に耳輪基部に係止する係止部とを備え、少なくとも係止部と小型スピーカとの間の信号線は柔軟で細線状の信号線で構成される、システム補聴器。【選択図】図１
0003125653.tif 000002
【実用新案登録請求の範囲】
【請求項１】
外部の音を集音する集音部、当該集音部で集音された外部の音を増幅して出力する増幅部、および前記集音部と増幅部とに電力を供給する電源とを備えた集音増幅処理部と、
外耳道内に配置可能な小型スピーカであって、外耳道を完全に閉塞することなく配置されるように、外耳道径に比較して小径を有した小型スピーカと、
前記集音増幅処理部と前記小型スピーカとを接続して、前記集音増幅処理部からの増幅された電気信号を前記小型スピーカに伝達する信号線と、および
少なくとも前記信号線の一部に設けられ、外耳基部にそって変形して外耳基部に係止し、前記信号線を自在に耳輪基部に位置決めして先端に小型スピーカが接続された信号線を外耳道内に案内する係止部とを備え、
前記信号線の少なくとも前記係止部と前記小型スピーカとの間は、柔軟で細線状の信号線で形成されたことを特徴とする
システム補聴器
【請求項２】
請求項１に記載のシステム補聴器であって、前記集音増幅部は前記係止部に連続して形成されて、外耳裏側に位置決め装着されることを特徴とするシステム補聴器。
【請求項３】
請求項１または２に記載のシステム補聴器であって、前記小型スピーカはその表面がほぼ全体に亘って、外耳道内で滑り止め材として機能する弾性材で保護されていることを特徴とするシステム補聴器。
【請求項４】
請求項１に記載のシステム補聴器であって、係止部から集音増幅部処理部までの信号線は、首の後ろから襟内へ、さらにシャツ等の内側を通り、ズボン又はシャツ等の胸ポケットまで目立たずに誘導される、ことを特徴とするシステム補聴器。
【考案の詳細な説明】
【技術分野】
【０００１】
この考案は、補聴器に関するものである。
【背景技術】
【０００２】
従来から、様々なタイプの補聴器が提案されているが、必ずしも需要者に充分な満足をあたえるものではなかった。
例えば、初期のレシーバを耳に差し込み、これと電線で繋がった増幅器本体を胸元に取り付ける構造のものもあったが、耳に差し込んだレシーバがあまりに大きく目障りで、配線も太く、使用する側に相当の抵抗があった。
【０００３】
さらに、耳掛け式のものでも、耳輪から外耳道に至るチューブ式（導波管）等の伝達構造も、装着者に圧迫感があり、他人の目も気になっていた。
また、さらに補聴器全体を外耳道に挿入する構成のものでは、内蔵電源の持続性、物理的な制限からの電子機器の性能の限界、集音能力、人体の湿度が機器に及ぼす影響、があり、また装着者にとって外耳道が完全に異物で埋められているという閉塞感や圧迫感が強かった。またほぼ外部から見えないような超小型の補聴器は極めて高価であり、一方外部から見えるタイプのものを使用するに当たっては、やはり他人の目が気になることは否めなかった。
【０００４】
こうした従来の補聴器での、上記何れの形式のものにおいても耳の外耳道に差し込まれるレシーバ、チューブ、又は本体そのものが外耳道に挿入される構成のため、使用者にとっては違和感、閉塞感が強く、疲労が高まるとの問題があった。
【考案の開示】
【考案が解決しようとする課題】
【０００５】
そこで、この考案の目的は従来の補聴器の様々な問題点を解決して、圧迫感、閉塞感に基づく疲労も少なく、また電源の持続時間も改善され、さらに使用者が他人の眼を意識しなくて済む外見上の利便性をも兼ね備えた、システム補聴器を提案するものである。
【０００６】
本考案の態様に従えば、外部の音を集音する集音部、当該集音部で集音された外部の音を増幅して出力する増幅部、および前記集音部と増幅部とに電力を供給する電源とを備えた集音増幅処理部と、外耳道内に配置可能な小型スピーカであって、外耳道を完全に閉塞することなく配置されるように、外耳道径に比較して小径を有する小型スピーカと、前記集音増幅処理部と前記小型スピーカとを接続して、前記集音増幅処理部からの増幅された電気信号を前記小型スピーカに伝達する信号線と、および少なくとも前記信号線の一部に設けられ、外耳基部にそって変形して外耳基部に係止し、前記信号線を自在に外耳基部に位置決めして先端に小型スピーカが接続された信号線を外耳道内に案内する係止部とを備え、前記信号線の少なくとも前記係止部と前記小型スピーカとの間は、柔軟で細線状の信号線で形成された、システム補聴器が得られる。
【考案の効果】
【０００７】
こうすれば、使用者にとって圧迫感・閉塞感が無く、他人の眼を気にせずに使用できるという効果が得られる。
【考案を実施するための最良の形態】
【０００８】
本考案の態様に従えば、システム補聴器が得られる。
【実施例１】
【０００９】
図１を参照すると、本考案によるシステム補聴器の一実施例の全体図を示した。
ここで、集音増幅処理部１は外部の音を集音する集音部、集音された外部の音を例えば所要の周波数帯域についてのみ増幅処理して出力する増幅部、およびこられの集音部、増幅部に電力を供給する電源とが一体構成される。この集音増幅処理部１は、例えば胸ポケットに入れる、ズボンのポケットに入れる、又はクリップ７等で着衣の任意の箇所に留めて使用する等の意図に合わせて、任意の形状にデザインすることができる。
【００１０】
集音増幅処理部１からは信号線２が接続されており、その信号線２の先端には小型スピーカ４が接続されている。さらに、この信号線２の所定の位置には信号線２の外周に高分子材料等の変形可能で、かつ適度な保持力を有する係止部３が被覆構成されている。この係止部３から小型スピーカ４までの信号線２’は外耳５基部から外耳道４内までの適度な長さで構成される。ここで、係止部３から小型スピーカ４までの信号線２’は柔軟で極めて細い、細線状の信号線で構成される。また、係止部３から集音増幅部処理部１までの信号線２は、首の後ろから襟内へ、さらにシャツ等の内側を通り、ズボン又はシャツ等の胸ポケットまで目立たずに誘導できる。
【００１１】
図２に示したように、小型スピーカ４はその略円筒形の表面が高分子材などの極めて薄い弾性体で保護され、かつ、その表面の高分子材被覆の摩擦力により、外耳道４を完全に閉塞することなく、細線状の信号線２’の曲げ剛性・軸剛性とあいまって外耳道４内の任意の位置に留まるように、その外径が外耳道４内径よりも小径軽量なスピーカとなっている。このため、圧迫感・閉塞感が無い。
【００１２】
このシステム補聴器の一実施例の使用の際には、図３に例示したように、集音増幅部１を使用者の意図に応じて、胸ポケット、ズボンのポケット、又は衣類の任意の位置にクリップ留め（図示せず）する。次に、外耳５の裏側に信号線を回し、係止部３を外耳５基部の上縁に沿って形を整え、信号線２を位置決めする。そこから、信号線２’を繰り出して小型スピーカ４を外耳道６内に案内し、適当な位置に位置決めする。このとき、小型スピーカ４は、その直径が外耳道６より小径であり、小型スピーカ４の表面に極めて薄く被覆された高分子材で程よく外耳道４内に留まって、使用者に閉塞感を与えることなく外耳道６内に配置される。ここで、小型スピーカ４は極めて軽量なので、信号線２’の剛性でも、小型スピーカ４の位置決めに充分寄与でき、生活動作中に動くことも無い。
【００１３】
また、信号線２’は柔軟で細線状であり、係止部３より余裕を持った長さで外耳道６内に案内されているので、頭部を動かしたり、外耳５が引っ張られても外耳道６内の小型スピーカ４が影響を受けることは無い。さらに、外耳の表面側を通る柔軟で細線状の信号線２’は比較的目立ちにくく、また見えても違和感が少ない。
【実施例２】
【００１４】
次に、この考案によるシステム補聴器の他の実施例を図４、５、６、７、８に基づいて説明する。
【００１５】
この実施例では、本願考案のシステム補聴器を、いわゆる耳掛型に応用したものであって、図６，７および８図に、側面図、正面図および俯瞰図を示したように、集音増幅処理部１からは細線状の信号線２’が延びてその先端に小型スピーカ４が設けられており、信号線２’の集音増幅処理部１側には所定区間に渡って、外耳５基部の上縁部に係止可能な係止部３が構成されている。
【００１６】
この実施例のシステム補聴器を使用する場合には、図４，５の装着状態を示す頭部側面図、一部正面図に示したように、係止部３を外耳５基部の上縁に沿って形状を合わせて係止し、集音増幅部１を外耳５裏側に位置決めする。そこで、信号線２’を繰り出して、外耳道６内の所定の位置に挿入して位置決めすれば良い。
【００１７】
こうして図４，５，６，７、８に示した本願考案によるシステム補聴器においても、外耳５上縁基部に係止した係止部３から拘束されることなく緩やかに外耳道６内に案内された柔軟で細線状の信号線２’の先端に取り付けられた小型スピーカ４が、外耳道６内径より小さい直径で外耳道６を完全に閉塞することなく配置される。したがって、耳が完全に塞がれたような圧迫感・閉塞感を覚えることも無く、良好な使用感が得られる。さらに、目立ち難い細線状の信号線２’と、外耳５裏側に位置決めされた集音増幅処理部１の目立ち難い点ともあいまって、使用者が必要以上に人目を気にせず、快適なシステム補聴器となる。
【産業上の利用可能性】
【００１８】
本願考案によるシステム補聴器は以上の通りであり、外耳道内を完全に閉塞することの無い径を持って配置されたスピーカ、少なくとも係止部とスピーカとの間の柔軟で細線状の信号線、この信号線を緩やかに拘束せずに位置決めする係止部により、圧迫間・閉塞感も無く、長時間の使用でも疲労の少なく、他人の眼にも気付かれにくい、使用感の優れたシステム補聴器となる。
【図面の簡単な説明】
【００１９】
【図１】この考案によるシステム補聴器の一実施例の全体図。
【図２】図１のシステム補聴器のスピーカ拡大図。
【図３】図１のシステム補聴器の使用状態を示す、一部断面図。
【図４】この考案によるシステム補聴器の他の実施例の使用状態を示す、頭部の側面図。
【図５】同じく、図４の使用状態を示す一部正面図。
【図６】同じく、図４の実施例で用いられたシステム補聴器の側面図。
【図７】同じく、図６のシステム補聴器の正面図。
【図８】同じく、図６のシステム補聴器の俯瞰図。
【符号の説明】
【００２０】
１  集音増幅処理部
２  信号線
２’  細線状の信号線
３  係止部
４  小型スピーカ
５  外耳
６  外耳道
７  クリップ
【図１】
0003125653.tif 000003
【図２】
0003125653.tif 000004
【図３】
0003125653.tif 000005
【図４】
0003125653.tif 000006
【図５】
0003125653.tif 000007
【図６】
0003125653.tif 000008
【図７】
0003125653.tif 000009
【図８】
0003125653.tif 000010